(57)【特許請求の範囲】
【請求項１】
原稿の両面の読み取りが終了した後、その表裏面を反転させて排出するファクシミリ装置において、
給紙口から排紙口までつながり、前記原稿が搬送される原稿搬送経路と、
前記排紙口の近傍に設けられ、駆動源により駆動され、前記原稿を前記排紙口から排出させることができるエキストラローラと、
前記エキストラローラの直後方に設けられ、前記原稿搬送経路に頭部を出没させて前記原稿に済マークを押印する済スタンプと、
少なくとも前記駆動源及び前記スタンプに制御信号を出力するコントローラと、を備え、
前記原稿の両面の読み取りが終了して、前記原稿の終端が所定の位置まで搬送されたときに、前記コントローラは前記駆動源を停止させ、該駆動源は前記エキストラローラを停止させ、該エキストラローラは前記原稿を停止させ、その後、前記駆動源を再び駆動させるのと同時に、該コントローラは前記済スタンプに連続して２度、前記原稿に前記済マークを押印させる、ファクシミリ装置。
【発明の詳細な説明】
【０００１】
【発明の属する技術分野】
本発明は、自動的に原稿を順次給送し、その表裏両面の読み取りが可能なファクシミリ装置の原稿読取終了を確認する技術に関する。
【０００２】
【従来の技術】
従来の原稿読取装置では、原稿の両面を読み取る場合、まず、原稿を読取部へ給送してその表面を読み取り、排出ローラにより排紙トレイ上の排出口へ搬送していた。ここで、一旦、原稿を停止させてその表面終端に読取終了を確認する済みマークを押印し、この後に、原稿の終端を挟持する排出ローラの回転方向を逆転させ、該原稿を原稿戻し経路を通じて反転させつつ再度読取部へ給送して、次にその裏面を読み取っていた。そして、排出口まで搬送された原稿を一旦停止させ、その裏面に済みマークを押印し、再度スイッチバックさせて、もう一度原稿戻し経路を通じて読取部へ搬送し、このとき該読取部では読み取りを行わずそのまま通過させ、原稿表面を下にして排出していた。こうして、給紙口に積まれていたページ順に原稿を揃え直しながら、順次排出トレイに積載していた。
【０００３】
【発明が解決しようとする課題】
しかしながら、前記従来技術において、原稿両面を読み取る場合に、その片面を読み終える毎に、済みスタンプにより済みマークを押印していたので、済みスタンプを押す度に原稿を停止させる必要があり、読取時間が増すのであった。
さらに、第１面の読み取りが終了し、その終端部に済みマークが押印された原稿を、スイッチバック反転させると、スイッチバック反転前の終端側が進行方向、つまり、先端側となって読取部へ送られる。このため、その第２面の読み取りが終了した後に、排出ローラにより排出口へ搬送され、ここで、一旦、原稿を停止させると、その裏面終端に済みマークが押印されることとなる。この済みマークの押された原稿裏面終端は、該スイッチバック反転前にあっては原稿の先端であり、すなわち、該スイッチバック反転前を基準に考えると、原稿表面にはその終端側に済みマークが押印され、一方、原稿裏面にあってはその先端側に押印されている。このため、ユーザは１枚ずつ原稿両面を確認しなければならず、しかも、それぞれの面において、その先端と終端の反対位置に押印されていると、なお一層、その確認が煩雑となり、その結果、確認し忘れ等、確認ミスの頻度も高まる。
【０００４】
本発明では、前記の点を鑑み、原稿の両面の読み取りに要する時間を短縮し、且つ、容易に原稿読取終了の確認が行えるファクシミリ装置を提供することを課題とする。
【課題を解決するための手段】
【０００５】
本発明は以上のような課題を解決すべく、次のような手段を用いるものである。
すなわち、請求項１記載の如く、原稿の両面の読み取りが終了した後、その表裏面を反転させて排出するファクシミリ装置において、給紙口から排紙口までつながり、前記原稿が搬送される原稿搬送経路と、前記排紙口の近傍に設けられ、駆動源により駆動され、前記原稿を前記排紙口から排出させることができるエキストラローラと、前記エキストラローラの直後方に設けられ、前記原稿搬送経路に頭部を出没させて前記原稿に済マークを押印する済スタンプと、少なくとも前記駆動源及び前記スタンプに制御信号を出力するコントローラと、を備え、前記原稿の両面の読み取りが終了して、前記原稿の終端が所定の位置まで搬送されたときに、前記コントローラは前記駆動源を停止させ、該駆動源は前記エキストラローラを停止させ、該エキストラローラは前記原稿を停止させ、その後、前記駆動源を再び駆動させるのと同時に、該コントローラは前記済スタンプに連続して２度、前記原稿に前記済マークを押印させるものである。
【０００８】
本発明の実施の形態を、添付の図面を基に説明する。
図１はファクシミリ装置の斜視図、図２は同じく側面断面図、図３はファクシミリ装置のＡＤＦの側面断面図、図４は済みスタンプの構成を示す側面断面図、図５はファクシミリ装置の制御構成を示すブロック図、図６はファクシミリ装置の第１過程での原稿の流れを示すＡＤＦの側面断面図、図７は同じく第２過程での原稿の流れを示すＡＤＦの側面断面図、図８は同じく第３過程での原稿の流れを示すＡＤＦの側面断面図、図９はファクシミリ装置の制御構成の第１段階を示す流れ図、図１０は同じく第２段階を示す流れ図、図１１は同じく第３段階を示す流れ図、図１２は同じく最終段階を示す流れ図である。
【０００９】
まず、本発明に係るファクシミリ装置の全体構成から説明する。
図１乃び図２に示すファクシミリ装置は、記録部２の上方に読取部１を配置して構成されている。記録部２には、記録装置３及び給紙カセット４がそれぞれ上下に内装されており、給紙カセット４内に堆積される用紙を記録装置３へ給紙して、記録した後に、記録紙排出トレイ５へ排出するように構成している。
【００１０】
読取部１は、その一部構成体である読取ケース１０の底面より延設されるヒンジ１０ｂが、記録部２に配設されたヒンジピン１ａ上に枢支されていることにより、該記録部２に対して、ヒンジピン１ａを支点として上下回動可能とされている。
【００１１】
読取部１においては、読取ケース１０内に読取装置６が収納されている。読取ケース１０の上面には、透明状の静止原稿載置ベッド１１を配設しており、該静止原稿載置ベッド１１上に原稿が置かれると、該読取装置６が、図２の実線位置から仮想線位置まで移動して走査を行う。
【００１２】
読取ケース１０の上方には、その一辺を中心として上下開閉可能に構成される原稿押えカバー７が配置され、静止原稿載置ベッド１１上に載置された原稿を原稿押えカバー７により上方から押えるものとしている。
【００１３】
原稿押えカバー７の一端部には、ＡＤＦ８が付設されている。ＡＤＦ８の外観は、図１のように、読取装置６の走査方向と直交する方向上にて並列状にサイドフレーム７ａ・７ｂを立設しており、両サイドフレーム７ａ・７ｂ間に、ＡＤＦ８の原稿搬送部全体を覆う開閉可能なＡＤＦカバー１４が挟まれるように配置されたものとなっている。各サイドフレーム７ａ・７ｂのＡＤＦカバー１４側端部に沿う内側開口面には、図示されない板金製の側板がそれぞれ立状に固設されていて、例えば、後記の各フィードローラのうち、駆動ローラのローラ軸の各軸端を軸支している。原稿押さえカバー７と、サイドフレーム７ａ・７ｂの一方または両方は、該駆動ローラの駆動源及びその伝動系を覆っており、その内側面が該側板にて覆われているのである。
【００１４】
これら原稿押えカバー７とサイドフレーム７ａ・７ｂがＡＤＦ８の装置本体を形成し、該装置本体に左右を挟まれて、ＡＤＦカバー１４にて覆われる原稿搬送部が配設されて、ＡＤＦ８全体を構成している。
【００１５】
ＡＤＦ８の給紙口８ａに連なるように、該原稿押えカバー７の上方に原稿供給トレイ９が配設されており、その下方における原稿押えカバー７の上面には、ＡＤＦ８の該給紙口８ａの直下に配置された排紙口８ｃに連なるように、原稿排出トレイ７ｃが一体成形されている。ＡＤＦ８内には、給紙口８ａから排紙口８ｃまで原稿搬送経路が構成されている。
【００１６】
原稿供給トレイ９上に堆積されたシート原稿は、一枚ずつピックアップされ、給紙口８ａ下流に挿入される。ＡＤＦ８にて給紙されてプラテンガラス１２の上を通過する原稿は、図２中で実線にて示した初期位置の読取装置６により読み取られる。読み取られた後の原稿は、排紙口８ｃから原稿排出トレイ７ｃ上に排出される。
【００１７】
このように、読取部１は、読取装置６を走査させて静止原稿を読み取るフラットベッドタイプのスキャナとして用いるとともに、読取装置６を位置固定して原稿をＡＤＦ８に給送しながら読み取りを行うシートフィードタイプのスキャナとして用いることができるように構成されている。
【００１８】
また、読取ケース１０の一側方にはキーパネル１３が付設されている。該キーパネル１３の各種操作キーを押すことにより、原稿内容の読み取りを行ったり、読み取った内容をファクシミリ送信する際の送信先の設定を行ったり、受信内容や読み取った内容の記録装置３による記録を行ったり、様々な操作がなされるのである。
【００１９】
次に前記ＡＤＦ８の内部構造について説明する。
なお、この説明において、図３に示す側面視にて、原稿搬送方向を前後方向（原稿搬送路について給紙口８ａ・排紙口８ｃ側を前方、湾曲部（搬送方向折り返し部）側を後方とする。）とし、その水平方向における直交方向を左右方向として、各構造体の上下・前後位置を説明するものとする。
【００２０】
図３に示すように、まず、給紙口８ａから排紙口８ｃにかけて側面視略「？」の字を寝かせた形状の第１原稿搬送経路Ｒ１が形成されている。該第１原稿搬送経路Ｒ１は給紙口８ａからの「Ｃ」状に湾曲した円弧状経路と、排紙口８ｃへ水平に向かう水平経路と、該円弧状経路と該水平経路とを結ぶ傾斜路とから成り、該水平経路の後端位置には分岐点Ｑが設けられ、該分岐点Ｑから後方へ向けて第２原稿搬送経路Ｒ２が延設され、該第１原稿搬送経路Ｒ１の湾曲部で連通されている。ここで、この連通個所を合流点Ｐとする。
【００２１】
そして、前記第１原稿搬送経路Ｒ１における円弧状経路から傾斜路へ移行する個所に分岐点Ｓが設けられ、また、前記排紙口８ｃの下方にはシート原稿の搬送方向を逆転させる一時排出口８ｂが設けられ、該分岐点Ｓから該一時排出口８ｂに向けて第３原稿搬送経路Ｒ３が延設されている。
前記第３原稿搬送経路Ｒ３における分岐点Ｓと一時排出口８ｂとの中間位置に分岐点Ｔが設けられ、該分岐点Ｔからその上方を前後に走る第１原稿搬送経路Ｒ１にかけて、側面視、「Ｕ」字を寝かせた形状の第４原稿搬送経路Ｒ４が形成されている。ここで、この第４原稿搬送経路Ｒ４と第１原稿搬送経路Ｒ１との連通個所を合流点Ｒとする。
【００２２】
次にシート原稿をフィードするローラの配置であるが、前記一時排出口８ｂと前記排紙口８ｃとの間には正逆回転可能なエキストラローラ３０が配設され、その上下の原稿搬送経路Ｒ１・Ｒ３で摺接するように第１プレスローラ３１と第２プレスローラ３２とが配設されている。ここで、第１原稿搬送経路Ｒ１におけるエキストラローラ３０と第１プレスローラ３１とのニップ部をＥ、第３原稿搬送経路Ｒ３におけるエキストラローラ３０と第２プレスローラ３２とのニップ部をＦとする。
【００２３】
また、給紙口８ａの近傍にはセパレートローラ２２とリタードローラ２３とのニップ部Ａが配設され、該セパレートローラ２２の両端より前方に向けてアーム２０・２０が揺動自在に配設され、該アーム２０・２０の前端部にピックアップローラ２１が軸支されている。
そうして、給紙口８ａから排紙口８ｃまでの第１原稿搬送経路Ｒ１に沿って、前記セパレートローラ２２とリタードローラ２３とのニップ部Ａ、レジストローラ２４とレジストフォローローラ２５とのニップ部Ｂ、第１フィードローラ２６と第１スレイブローラ２７のニップ部Ｃ、第２フィードローラ２８と第２スレイブローラ２９のニップ部Ｄ、前記エキストラローラ３０と第１プレスローラ３１とのニップ部Ｅの順に配設されている。
【００２４】
こうして、前記ピックアップローラ２１、セパレートローラ２２、及びリタードローラ２３等により、原稿供給トレイ９上に堆積されたシート原稿を一枚ずつ分離して、給紙口８ａから第１原稿搬送経路Ｒ１へ給送するようにしている。
【００２５】
前述の各ローラのうち、レジストローラ２４、第１フィードローラ２６、第２フィードローラ２８、及びエキストラローラ３０の各ローラ軸２４ａ・２６ａ・２８ａ・３０ａは、両軸端が、それぞれ前記のＡＤＦ８装置本体の各側板に軸支されて、位置固定されており、ローラ２２・２４・２６・２８・３０はサイドフレーム７ａ・７ｂのいずれか、あるいは両方の内部に配設された駆動源及び伝動機構により駆動されるようになっている。すなわち、図４に示すように、該ローラ２２・２３・２４・２６・２８・３０は駆動ローラであって、それぞれに接触する各ローラ２５・２７・２９・３１・３２が各駆動ローラに連れ回る従動ローラとなっている。
【００２６】
そうして、図３に示すように、前記分岐点Ｓの直前方の第１原稿搬送経路Ｒ１と第３原稿搬送経路Ｒ３との間に、該原稿搬送経路Ｒ１・Ｒ３間を切り換える第１ガイド部材３７が配設され、また、前記分岐点Ｑの直後方の第１原稿搬送経路Ｒ１と第２原稿搬送経路Ｒ２との間に、該原稿搬送経路Ｒ１・Ｒ２間を切り換える第２ガイド部材３８が配設され、そして、前記分岐点Ｔの直後方の第３原稿搬送経路Ｒ３と第４原稿搬送経路Ｒ４との間に、該原稿搬送経路Ｒ３・Ｒ４間を切り換える第３ガイド部材３９が配設されている。
【００２７】
前記第１ガイド部材３７は、ソレノイド４７等のアクチュエータを用いて電気的に経路の切り換えが行われ、原稿第１面（表面）の読み取り後には第１原稿搬送経路Ｒ１へ、原稿第２面（裏面）の読み取り後には第３原稿搬送経路Ｒ３へとシート原稿を給送するように制御されている。
一方、前記ガイド部材３８・３９にはフィルム等の可撓性部材を使用し、シート原稿の搬送方向により経路が開かれ、該シート原稿の通過後にはその自重、及びその弾性により元位置へ復帰して、その経路を閉じるように構成している。
【００２８】
詳しくは、前記第２ガイド部材３８は、通常、分岐点Ｒから合流点Ｐへ向けては通過自在で、分岐点Ｓから分岐点Ｒへ向けてはその経路を塞ぐように付勢されている。すなわち、排紙口８ｃから分岐点Ｑへ向けての搬送では、該第２ガイド部材３８に沿って合流点Ｐ方向へと案内され、一方、分岐点Ｓから分岐点Ｑへ向けての搬送では、シート原稿の先端が該第２ガイド部材３８を押し上げて排紙口８ｃ方向へと搬送され、該シート原稿の終端が該分岐点Ｑ位置を通過すると、該第２ガイド部材３８はその自重、及びその弾性により元位置へ復帰する。
【００２９】
前記第３ガイド部材３９についても略同様の構成で、通常、ニップ部Ｆから合流点Ｒへ向けては通過自在で、分岐点Ｓからニップ部Ｆへ向けてはその経路を塞ぐように付勢されている。すなわち、一時排出口８ｂから分岐点Ｔへ向けての搬送では、該第３ガイド部材３９に沿って合流点Ｒ方向へと案内され、一方、分岐点Ｓから分岐点Ｔへ向けての搬送では、シート原稿の先端が該第３ガイド部材３９を押し上げて一時排出口８ｂ方向へと搬送され、該シート原稿の終端が該分岐点Ｔ位置を通過すると、該第３ガイド部材３９はその自重、及びその弾性により元位置へ復帰する。
このように、第２ガイド部材３８と、第３ガイド部材３９とは電気的に切り換えを行わず、安価な部材を使用し、且つ、シンプルな構成としている。
【００３０】
次に送信済みの用紙に押印する済みスタンプ６０ついて説明する。
前記済みスタンプ６０はエキストラローラ３０の直後方に配設され、第１原稿搬送経路Ｒ１の合流点Ｒとニップ部Ｅとの中間位置に切欠口を設けて、該切欠口より該済みスタンプ６０の頭部を出没させるように構成されている。
そして、前記給紙口８ａより排出口８ｃへと搬送される用紙は、読取後に前記ローラ３０・３１の上流側（図３における後部側）で、収納状態の済みスタンプ６０を上昇させることにより押印され、読取確認がなされる。
尚、本発明では、片面読取時には、済みスタンプ６０を出没させてシート原稿表面の終端部に１個の済みマークが押され、一方、両面読取時にはシート原稿を繰り送りながら該済みスタンプ６０を連続して２回上昇させ、その表面の終端部に２個の済みマークが押されるように制御している。
以下、該済みスタンプ６０の昇降機構について説明する。
【００３１】
周知の通り、円筒状に巻回したコイルに電流を流せば軸方向に磁場を生じ、該磁場中に鉄芯を置けば磁化して磁石となり、一方、この電磁石は電流を切れば、磁化しない状態にもどる。本発明ではこの原理を利用して済みスタンプ６０の印体６２を昇降させている。
【００３２】
すなわち、図４に示すように、前記済みスタンプ６０は、円柱状のスタンプ本体６１、鉄製の円筒ケース６４、ソレノイド６５、鉄芯６６等から構成され、円筒状に捲回された該ソレノイド６５を該円筒ケース６４内に埋設し、該円筒ケース６４を載置面６７に固定する。また、該円筒ケース６４の中空下部には鉄芯６６が嵌設され、該鉄芯６６上面には、円筒ケース６４内に摺動自在に嵌装されるスタンプ本体６１が載置されている。
【００３３】
前記円筒ケース６４のソレノイド６５とターミナル６９とをリード線６８により接続し、図５に示すように、該ターミナル６９と、ファクシミリ装置内に設けられるコントローラ４０とを制御線により接続する。
【００３４】
また、図４において、前記スタンプ本体６１は、ゴム印等が貼設された印体６２の下部にフェライト磁石６３を取り付けて形成されており、ソレノイド６５に電流を流して鉄芯６６を磁化させると、該鉄芯６６とフェライト磁石６３とが反発して、スタンプ本体６１が円筒ケース６２内周面に沿って上昇する仕組みである。また、逆にソレノイド６５の電流を切れば、該鉄芯６６は磁化していない状態に戻り、スタンプ本体６１は重力により自然に下降して元位置に収まる。
【００３５】
ここで、前記スタンプ本体６１の昇降のタイミングであるが、コントローラ４０からの制御信号（通電命令）により、ターミナル６９を通じてソレノイド６５に瞬間的に電流が流されれば、発生した磁場によりスタンプ本体６１は瞬時に上下し、該原稿の所定位置に押印がなされる。
尚、両面読取時には、コントローラ４０からの制御信号によりシート原稿を繰り送りながら、ソレノイド６５に２度、瞬間的に電流を流し、スタンプ本体６１を連続して２度、上下させてやる。
【００３６】
このように、片面読取時、及び両面読取時の両場合とも、シート原稿の同じ面の同じ位置に押印がなされるように制御され、しかも、両場合では押印の仕方が異なり、一目でその区別ができるので、ユーザーにとって読取確認がしやすく、使い勝手がよいのである。
【００３７】
次にシート原稿の搬送に係る各センサについて説明する。
まず、図３に示すように、前記第１原稿搬送経路Ｒ１の給紙口８ａ付近にはドキュメントセットセンサ（以下、「ＤＳセンサ」）４３が配設されている。給紙口８ａ奥深くにシート原稿がセットされると、該ＤＳセンサ４３により検知され、これによりスタートボタン１９と駆動源４１との間の回路が接続されて、前記駆動源４１の駆動が可能な状態となり、逆に言えば、原稿がセットされていない状態では、該回路が遮断されたままでスタートボタン１９を押しても該駆動源４１は始動せず、こうして原稿の空送りが防止されている。
そして、該第１原稿搬送経路Ｒ１に沿って、第２原稿搬送経路Ｒ２との合流点Ｐ付近にはレジストセンサ４４が配設され、また、第３原稿搬送経路Ｒ３との分岐点Ｓ付近には反転センサ４５が配設されている。
前記センサ４３・４４・４５はそれぞれその搬送経路における一方の側に発光素子を配置し、他方の側に受光素子を配置した光センサ、またはリミットスイッチ等により構成されており、センサ配置位置を通過するシート原稿の通過開始時、または通過完了時等を検出し、図５に示すコントローラ４０に制御信号（検出信号）を出力している。
【００３８】
さらに、前記センサ４３・４４・４５の他、図５に示す前述のコントローラ４０には、以下に示す制御部材とも接続されており、シート原稿の搬送パターンを制御している。
３７は、原稿の搬送方向を規制する前記した第１ガイド部材であり、該コントローラ４０からの制御信号（切換信号）を受信して、原稿の搬送経路を切り換えている。
すなわち、通常状態では、第１ガイド部材３７は第３原稿搬送経路Ｒ３を塞いで第１原稿搬送経路Ｒ１を開放しており、該コントローラ４０からの制御信号（切換信号）を受信することで、前記ソレノイド４７に電流が流され、アクチュエーターが作用して、該第１ガイド部材３７はやや上方へ回動し、第１原稿搬送経路Ｒ１を塞いで第３原稿搬送経路Ｒ３を開放する。
【００３９】
前記ピックアップローラ２１は、ソレノイド４６等のアクチュエータを用いて上下に揺動する構成で、該コントローラ４０からの制御信号（駆動信号）を受信して、該ソレノイド４６に電流が流され、該アクチュエーターが作用して、該ピックアップローラ２１は下方へ回動し、シート原稿を押さえ込む。
また、各ローラ２２・２３・２４・２６・２８・３０の駆動源４１は、該コントローラ４０からの制御信号（駆動信号）を受信して、それぞれのローラ２２・２３・２４・２６・２８・３０を駆動・停止する。
尚、この駆動源４１には、固定子の多相巻線に順次パルスを加え、その１パルスごとに回転子が一定角度だけ回転するステップモータ等を使用し、該コントローラ４０ではステップ制御を行って、該駆動源４１の回転ステップ数を計測している。
【００４０】
前記ローラ２２・２３・２４・２６・２８の回転方向は駆動源４１の正逆回転に連動し、但し、エキストラローラ３０においては図５に示す正逆回転切替機構４８を介して制御され、適宜、回転方向を切り換えている。
前記正逆回転切換機構４８は駆動源４１とエキストラローラ３０との間に設けられ、駆動源４１からの動力が伝達される駆動軸と、エキストラローラ３０へ出力する出力軸との間に、一方は駆動軸と同方向の回転を伝達する同方向伝達機構を、他方はその回転方向を逆転して伝達する逆転伝達機構を介装し、該駆動軸、または該出力軸にスプライン嵌合させた電磁クラッチ４９を摺動変位させ、一方の伝達機構との接続を解除して、他方の伝達機構と接続し、該電磁クラッチ４９を介して一方の回転のみが出力軸へ取り出される。
こうして、第１ガイド部材３７の切換動作に連動して、該コントローラ４０から正逆回転切換機構４８の電磁クラッチ４９へ制御信号（切換信号）が出力され、エキストラローラ３０の回転方向が切り換わる。
尚、別構成として、駆動源４１・４１を２つ設け、一方の駆動源４１によりローラ２２・２３・２４・２６・２８を駆動し、他方の駆動源４１によりエキストラローラ３０を駆動する構成としてもよい。この場合、該一方の駆動源４１は一定方向に回転し、該他方の駆動源４１は適宜正逆回転して、前記正逆回転機構４８を介することなく直にエキストラローラ３０の回転方向を転換する。
【００４１】
また、駆動源４１とセパレートローラ２２との間には電磁クラッチ５１が介設され、該コントローラ４０からの制御信号（停止命令信号）を受信して、該電磁クラッチ５１を切断し、セパレートローラ２２を停止させる。
そして、駆動源４１とレジストローラ２４との間には電磁クラッチ５０が介設され、駆動源４１が逆転方向に回転しているときのみ、その動力が伝達される構成としている。
また、図１に示すキーパネル１３上には、片面／両面読取の変換等、読取モードの設定を行うファンクションキー１８、シート原稿の取り込み操作を開始させるスタートボタン１９、そして、複数枚のシート原稿を連続して読み取る時などその読取操作を途中で停止するストップボタン１６等が配置されており、該ファンクションキー１８やスタートボタン１９、ストップボタン１６等の操作が成されると、該コントローラ４０へ制御信号が出力される。
【００４２】
ここで、本発明に係るシート原稿の両面読み取りについて、その流れを概略説明する。
原稿給紙トレイ９に表面を上にしてセットされたシート原稿は、まず、図６に示すように、第１過程で、給紙口８ａ→ニップ部Ａ→合流点Ｐ→ニップ部Ｂ→ニップ部Ｃ→ニップ部Ｄ→分岐点Ｓ→分岐点Ｑ→合流点Ｒ→ニップ部Ｅ→排紙口８ｃへと搬送されて原稿第１面、すなわち、表面の読み取りがおこなわれる。次に、図７に示すように、第２過程で、排紙口８ｃ→ニップ部Ｅ→合流点Ｒ→分岐点Ｑ→合流点Ｐ→ニップ部Ｂ→ニップ部Ｃ→ニップ部Ｄ→分岐点Ｓ→分岐点Ｔ→ニップ部Ｆ→一時排出口８ｂへと搬送されて原稿第２面である裏面の読み取りがおこなわれる。そして、図８に示すように、第３過程で、一時排出口８ｂ→ニップ部Ｆ→分岐点Ｔ→合流点Ｒ→ニップ部Ｅ→排紙口８ｃへと搬送して原稿表裏を反転し、ここで、前記済みスタンプ６０により原稿表面に２個の済みマークが押印され、表面を下にして排出トレイ７ｃへ排出される。
以下、本発明に係るシート原稿の両面読み取りについて、図９乃至図１２に示すフローチャートに基づいて説明する。
また、適宜、図６乃至図８に示すシート原稿の搬送パターンを示す図を参照するとよい。
【００４３】
図９に示すように、まず、ユーザーはシート原稿の表面を上にして原稿給紙トレイ９にセットし、給紙口８ａ奥深くに挿し込むと（ステップＳ１）、該シート原稿の先端は前記ＤＳセンサ４３により検知され（ステップＳ２）、これにより原稿の取り込み準備がなされる。
【００４４】
次にユーザーは前記キーパネル１３のファンクションキー１８を操作して、原稿読取面を両面読取モードに選択し（ステップＳ３）、キーパネル１３に配設されたスタートボタン１９を押すと（ステップＳ４）、コントローラ４０からピックアップローラ２１、駆動源４１、及びセパレートローラ２２の電磁クラッチ５１へ制御信号が出力され、該ピックアップローラ２１のソレノイド４６に正のパルスが印加され、該ソレノイド４６は瞬間的に励磁される。これによりピックアップローラ２１は下方へ回動して（ステップＳ５）、シート原稿を押さえ込み、その位置姿勢は全シート原稿の取り込みが終了するまで保持される。これと同時に、駆動源４１が正転方向に回転し始め（ステップＳ６）、また、セパレートローラ２２の電磁クラッチ５１が接続されて（ステップＳ７）、各駆動ローラ２２・２６・２８は正転方向（図６では時計方向）に回転し始める。
【００４５】
尚、エキストラローラ３０は前記正逆回転切換機構４８の逆転伝達機構を介して逆転方向（図６では反時計方向）に回転し始め、また、レジストローラ２４は前記電磁クラッチ５０により回転動力が切断され、そのまま停止している。
こうして、ピックアップローラ２１、セパレートローラ２２、及びリタードローラ２３等により最上層のシート原稿（１枚目のシート原稿）のみが分離されて給紙口８ａからゆっくりと取り込まれる（ステップＳ８）。
【００４６】
そして、前記１枚目のシート原稿の先端がレジストセンサ４４で検知されると（ステップＳ９）、駆動源４１のステップ制御により該シート原稿の先端を該レジストセンサ４４位置からレジストローラ２４とレジストフォローローラ２５とのニップ部Ｂ位置まで搬送させた後、該駆動源４１の回転方向を反転させる（ステップＳ１０）。このとき、シート原稿の先端はレジストローラ２４とレジストフォローローラ２５とのニップ部Ｂに突き当てられた状態にあり、駆動源４１が逆転方向に回転し始めると、前記電磁クラッチ５０が接続されて、レジストローラ２４は回転し始める。また、他のローラ２６・２８・３０も回転方向が反転し、すなわち、フィードローラ２６・２８は逆転方向（図６では反時計方向）に回転し、正逆回転切替機構４８の逆転伝達機構を介したエキストラローラ３０は正転方向（図６では時計方向）に回転し始める。
尚、このとき前記セパレートローラ２２の電磁クラッチ５１へ制御信号が出力されて、該電磁クラッチ５１が切られてセパレートローラ２２の回転が停止し（ステップＳ１１）、続けてシート原稿が取り込まれないのである。
【００４７】
こうしてレジストローラ２４とレジストフォローローラ２５とによりシート原稿の斜行が整えられた後に搬送され、コントローラ４０では、駆動源４１のステップ制御により該シート原稿の先端が該レジストセンサ４４位置からプラテンガラス１２後端位置まで搬送される距離に相当する駆動源４１の回転ステップ数（第１の回転角度）が計測され、図１０に示すように、該第１の回転角度に達した後（ステップＳ１２）、該コントローラ４０から読取装置６へ制御信号が出力されて、まず、１枚目のシート原稿表面の読み取りが開始される（ステップＳ１３）。
【００４８】
こうして、前記１枚目のシート原稿はレジストローラ２４とレジストフォローローラ２５、第１フィードローラ２６と第１スレイブローラ２７、そして、第２フィードローラ２８と第２スレイブローラ２９とにより搬送され、レジストセンサ４４により該１枚目のシート原稿の終端が通過し終えたことが検知されると（ステップＳ１４）、その検知信号がコントローラ４０へ出力され、該コントローラ４０から読取装置６へ制御信号が出力される。
【００４９】
また、このレジストセンサ４４により１枚目のシート原稿の終端の通過が検知されたときから、前記コントローラ４０では該シート原稿の終端が該レジストセンサ４４位置からプラテンガラス１２前端位置まで搬送される距離に相当する駆動源４１の回転ステップ数（第２の回転角度）が計測され、該第２の回転角度に達した後（ステップＳ１５）、１枚目のシート原稿表面の読み取りを終了する（ステップＳ１６）。
【００５０】
そうして、前記１枚目のシート原稿は第１ガイド部材３７に沿ってさらに第１原稿搬送経路Ｒ１の下流側へと進み、第２ガイド部材３８を押し上げて排紙口８ｃ方向へと搬送される。そして、該１枚目のシート原稿はエキストラローラ３０と第１ガイドローラ３１とにより繰り出され、その先端が排紙口８ｃから排出されつつ、その終端が反転センサ４５位置を通過すると（ステップＳ１７）、該反転センサ４５からその検知信号がコントローラ４０へ出力される。このときより該コントローラ４０では、シート原稿の終端が反転センサ４５位置から合流点Ｒ位置まで搬送される距離に相当する駆動源４１の回転ステップ数（第３の回転角度）が計測され、該第３の回転角度に達した後（ステップＳ１８）、該コントローラ４０から駆動源４１へ制御信号が出力されて、駆動源４１の回転方向が反転される（ステップＳ１９）。
【００５１】
ここで、駆動源４１は正転方向に回転し始め、これにより前記電磁クラッチ５０が切られ、レジストローラ２４は停止する。また、他のローラ２６・２８・３０は回転方向が反転し、すなわち、フィードローラ２６・２８は正転方向（図６では時計方向）に回転し、正逆回転切替機構４８の逆転伝達機構を介したエキストラローラ３０は逆転方向（図６では反時計方向）に回転し始める。
【００５２】
ここで、エキストラローラ３０と第１ガイドローラ３１とによりニップされている１枚目のシート原稿はスイッチバック反転し、逆方向（後方）へ搬送される。尚、１枚目のシート原稿の終端が分岐点Ｑを通過した後は、前記第２ガイド部材３８は自重により元位置に復帰しているため、該１枚目のシート原稿は該第２ガイド部材３８に沿って第２原稿搬送経路Ｒ２へ給送されていく。
【００５３】
そして、図１１に示すように、前記１枚目のシート原稿の先端（スイッチバック反転前の終端）が再びレジストセンサ４４で検知されると（ステップＳ２０）、駆動源４１のステップ制御により該シート原稿の先端を該レジストセンサ４４位置からレジストローラ２４とレジストフォローローラ２５とのニップ部Ｂ位置まで搬送させた後、該駆動源４１の回転方向を反転させる（ステップＳ２１）。このとき、シート原稿の先端はレジストローラ２４とレジストフォローローラ２５とのニップ部Ｂに突き当てられた状態にあり、駆動源４１が逆転方向に回転し始めると、前記電磁クラッチ５０が接続されて、レジストローラ２４は回転し始める。また、他のローラ２６・２８も回転方向が反転し、すなわち、フィードローラ２６・２８は逆転方向（図７では反時計方向）に回転し、正逆回転切替機構４８の逆転伝達機構を介したエキストラローラ３０はそのまま逆転方向の回転を続ける。
【００５４】
また、このとき、コントローラ４０から第１ガイド部材３７に制御信号が出力されており、該第１ガイド部材３７のソレノイド４７に電流が流される。これにより該ソレノイド４７が励磁されて第１ガイド部材３７をやや上方へ回動させる（ステップＳ２２）。
【００５５】
こうして第１原稿搬送経路Ｒ１を塞いで第３原稿搬送経路Ｒ３を開き、この第１ガイド部材３７の切り換えにより前記正逆回転切替機構４８へ制御信号が出力され、電磁クラッチ４９が切り換えられて、今度は該正逆回転切替機構４８の同方向伝達機構を介して駆動源４１からの動力が伝達され、エキストラローラ３０はすぐさま逆転方向（図７では反時計方向）に回転し始める（ステップＳ２３）。
【００５６】
こうしてレジストローラ２４とレジストフォローローラ２５とによりシート原稿の斜行が整えられた後に搬送され、コントローラ４０では、駆動源４１のステップ制御により該シート原稿の先端が該レジストセンサ４４位置からプラテンガラス１２後端位置まで搬送される距離に相当する駆動源４１の回転ステップ数（第１の回転角度）が計測され、該第１の回転角度に達した後（ステップＳ２４）、該コントローラ４０から読取装置６へ制御信号が出力されて、１枚目のシート原稿裏面の読み取りが開始される（ステップＳ２５）。
【００５７】
こうして、前記１枚目のシート原稿はレジストローラ２４とレジストフォローローラ２５、第１フィードローラ２６と第１スレイブローラ２７、そして、第２フィードローラ２８と第２スレイブローラ２９とにより搬送され、レジストセンサ４４により該１枚目のシート原稿の終端が通過し終えたことが検知されると（ステップＳ２６）、その検知信号がコントローラ４０へ出力され、該コントローラ４０から読取装置６へ制御信号が出力される。
【００５８】
このレジストセンサ４４により１枚目のシート原稿の終端の通過が検知されたときから、前記コントローラ４０では該シート原稿の終端が該レジストセンサ４４位置からプラテンガラス１２前端位置まで搬送される距離に相当する駆動源４１の回転ステップ数（第２の回転角度）が計測され、該第２の回転角度に達した後（ステップＳ２７）、１枚目のシート原稿裏面の読み取りを終了する（ステップＳ２８）。
【００５９】
そうして、前記１枚目のシート原稿は第１ガイド部材３７に沿って第３原稿搬送経路Ｒ１へと給送され、次に第３ガイド部材３９を押し上げて一時排出口８ｂ方向へと搬送される。そして、図１２に示すように、該１枚目のシート原稿はエキストラローラ３０と第２ガイドローラ３２とにより繰り出され、その先端が一時排出口８ｂから排出されつつ、その終端が反転センサ４５位置を通過すると（ステップＳ２９）、該反転センサ４５からその検知信号がコントローラ４０へ出力される。
【００６０】
このときよりコントローラ４０では、シート原稿の終端が反転センサ４５位置から分岐点Ｔとニップ部Ｆとの中間位置まで搬送される距離に相当する駆動源４１の回転ステップ数（第４の回転角度）が計測され、該第４の回転角度に達した後（ステップＳ３０）、該コントローラ４０から駆動源４１へ制御信号が出力される。これにより該駆動源４１が正転方向に回転し始めて（ステップＳ３１）、シート原稿はスイッチバック反転し、このときよりコントローラ４０では、シート原稿の終端（スイッチバック反転前の先端）が分岐点Ｒ位置まで搬送される距離に相当する駆動源４１の回転ステップ数（第５の回転角度）が計測され、該第５の回転角度に達した後（ステップＳ３２）、コントローラ４０から駆動源４１、及び前記ターミナル６９へと制御信号が出力される。ここで、駆動源４１を一旦停止させ（ステップＳ３３）、エキストラローラ３０を停めて、シート原稿を一旦停止させた上で、前記ソレノイド６５に通電し（ステップＳ３４）、それと同時に駆動源４１を正転方向に回転させ、再びエキストラローラ３０を駆動させる（ステップＳ３５）。これにより済みスタンプ６０の印体６２が２度続けて上昇し、但し、シート原稿も搬送されているため、シート原稿の終端部には所定間隔を空けて２個の済みマークが押印されることとなる。こうして、読取確認がなされた後、シート原稿は排出されるのである（ステップＳ３６）。
【００６１】
尚、給紙口８ａに複数枚のシート原稿がセットされているときには、次のシート原稿は前のシート原稿が排出される前に、所定のタイミングを計って取り込まれ、その処理時間が短縮されるような制御となっている。
【００６２】
また、済みスタンプ６０の動作は、前記キーパネル１３のファンクションキー１８による片面、または両面読取の読取モードの選択により予め決定され、片面読取時にはシート原稿の終端が反転センサ４５により検出されたときより、コントローラ４０では、シート原稿の終端が反転センサ４５位置から分岐点Ｒ位置まで搬送される距離に相当する駆動源４１の回転ステップ数が計測され、押印準備がなされる。そして、該回転角度に達すると、コントローラ４０から駆動源４１、及び前記ターミナル６９へと制御信号が出力され、ここで、駆動源４１を一旦停止させて、エキストラローラ３０を停止する。こうして、シート原稿を一旦停止させた上で、前記ソレノイド６５に通電し、済みスタンプ６０の印体６２を１度だけ上昇させ、その直後に駆動源４１を正転方向に回転させて、再びエキストラローラ３０を駆動させ、シート原稿の終端部に１個の済みマークを押印した後、排出する。
【００６３】
尚、済みスタンプ６０の印体６２が出没する個所と分岐点Ｒとの間に、新たにシート原稿の通過を検出するセンサを設けてもよく、この場合、片面読取、両面読取、両場合とも、該センサによりシート原稿の終端が検出されると、駆動源４１を停止する制御とし、シート原稿の搬送を一旦停止した上で押印する。
また、この済みスタンプ６０の押印方法についてであるが、両面読取の場合、上述のように、シート原稿を一旦停止させた上で１回押印し、そして、シート原稿を搬送して再び押印する方法の他、シート原稿を搬送しつつ、まず、１箇所に押印し、間を置いて、さらにもう１箇所押印する等、その押印方法については特に限定しない。
【００６４】
このような構成で、シート原稿の両面を読み取る場合に、その片面を読み終える毎に、済みスタンプ６０により押印していた処理操作を、排出前の１回のみで済ませることができ、また、両面読取時には停止することなくその処理が行われて続けてシート原稿を取り込むことができ、読取時間の短縮を図ることができる。
さらに、原稿片面だけの確認で、その両面が読み取られたことが確認できるよう配慮がなされ、読取確認の際の作業能率が向上する。また、この構成では、１つの済みスタンプ６０で、片面読取時には１個の押印をし、両面読取時には２個押印してその区別をするため、片面用と両面用との、２つの済みスタンプを取り付けなくともよく、部品点数が減らせて、コスト削減も図られている。
そうして、シート原稿はページ順に揃えて排出されているため、そのまま若いページから順に済みマークが確認できるようにも配慮されており、裏面に済みマークが押された場合に比べてその確認はしやすく、作業性が向上し、見落とし等、確認ミスの頻度も少なくなる。
【００６５】
【発明の効果】
本発明は以上の如く構成したので、以下のような効果を奏するものである。
すなわち、請求項１記載の発明は、済スタンプが２度連続して押印する間に原稿も搬送され、原稿の終端部には所定間隔を空けて２個の済マークが押印される。そのため、原稿の両面の読み取りが終了した後、その表裏面を反転させて排出するファクシミリ装置において、読取時間の短縮を図ることができるとともに、原稿の両面の送信が重送なく終了したことを確認できる。
【図面の簡単な説明】
【図１】ファクシミリ装置の斜視図。
【図２】同じく側面断面図。
【図３】ファクシミリ装置のＡＤＦの側面断面図。
【図４】済みスタンプの構成を示す側面断面図。
【図５】ファクシミリ装置の制御構成を示すブロック図。
【図６】ファクシミリ装置の第１過程での原稿の流れを示すＡＤＦの側面断面図。
【図７】同じく第２過程での原稿の流れを示すＡＤＦの側面断面図。
【図８】同じく第３過程での原稿の流れを示すＡＤＦの側面断面図。
【図９】ファクシミリ装置の制御構成の第１段階を示す流れ図。
【図１０】同じく第２段階を示す流れ図。
【図１１】同じく第３段階を示す流れ図。
【図１２】同じく最終段階を示す流れ図。
【符号の説明】
８    ＡＤＦ
８ａ  給紙口
８ｂ  一時排出口
８ｃ  排紙口
３０    エキストラローラ
４０    コントローラ
４１    駆動源
６０    済みスタンプ
６１    スタンプ本体
６２    印体
６５    ソレノイド
６９    ターミナル
Ｒ１    第１原稿搬送経路
Ｒ２    第２原稿搬送経路
Ｒ３    第３原稿搬送経路
Ｒ４    第４原稿搬送経路
【図１】
0004174963.tif 000002
【図２】
0004174963.tif 000003
【図３】
0004174963.tif 000004
【図４】
0004174963.tif 000005
【図５】
0004174963.tif 000006
【図６】
0004174963.tif 000007
【図７】
0004174963.tif 000008
【図８】
0004174963.tif 000009
【図９】
0004174963.tif 000010
【図１０】
0004174963.tif 000011
【図１１】
0004174963.tif 000012
【図１２】
0004174963.tif 000013